(57)【要約】      （修正有）【課題】担架の巾が異なる場合にも、支障なく取付け使用できる担架用棚体を提供する。【解決手段】医療用機器を載置する棚板３と、棚板３側から下方に延設されて下端が担架の側枠上に載置されて使用される支持脚９とを備える担架用棚体１であり、支持脚９それぞれの上部と棚板３とが、支持脚９と棚板３それぞれに両端が回動可能に取り付けられる補助レバー７によって互いに連結され、支持脚９が棚板３に折れ曲がり可能に取り付けられてなるもの。【選択図】図１
0003218965.tif 000002
【実用新案登録請求の範囲】
【請求項１】
医療用機器を載置する棚板と、前記棚板側から下方に延設されて下端が担架の側枠上に載置されて使用される支持脚とを備える担架用棚体であり、
前記支持脚が前記棚板に折れ曲がり可能に取り付けられてなることを特徴とする担架用棚体。
【請求項２】
一端側が前記棚体に他端側が前記支持脚側にそれぞれ回動可能に連結される折れ曲がり補助レバーを備える請求項１記載の担架用棚体。
【請求項３】
前記折れ曲がりの状態を固定する固定部材を備える請求項１または２記載担架用棚体。
【請求項４】
前記担架の側枠への固定のための面ファスナー及び又は前記載置される医療用機器の固定のための面ファスナーを備える請求項１記載の担架用棚体。
【請求項５】
前記医療用機器が吸引器である請求項１記載の担架用棚体。
【考案の詳細な説明】
【技術分野】
【０００１】  この考案は、ストレッチャー等に使用される担架用棚体に関する。
【背景技術】
【０００２】  ストレッチャーで重傷患者を緊急搬送する場合には、気道を閉塞させる痰や吐物等を除去するために、ストレッチャー上で吸引機を使用する場合がある。この吸引機はストレッチャー上部の担架に取り付けられる棚上に配置されて使用される。担架はその大きさが種々あってその巾も異なり、現状においては担架が異なる場合には異なる寸法の棚体を用いる必要があった。
【考案の概要】
【考案が解決しようとする課題】
【０００３】  この考案は、担架の巾が異なる場合にも使用可能な担架用棚体を提供することを目的とする。
【課題を解決するための手段】
【０００４】  この考案では、医療用機器を載置する棚板と、前記棚板側から下方に延設されて下端が担架の側枠上に載置されて使用される支持脚とを備える担架用棚体であり、前記支持脚が前記棚板に折れ曲がり可能に取り付けられてなることを特徴とする担架用棚体を提供する。【０００５】  上記構成の担架用棚体は、支持脚が棚板に折れ曲がり可能に取り付けられていることで支持脚下端間の距離を可変とでき、これにより、担架用棚体を幅の異なる担架の側枠上に支障なく取り付けられるようになる。この考案の担架用棚体は担架単体に、また、ストレッチャー（下部に走行部を一体とする担架）において使用される。【０００６】  さらに、一端側が棚体に他端側が支持脚にそれぞれ回動可能に連結される折れ曲がり補助レバーを備える構成とすることで、支持脚をより垂直に近い状態とでき、これにより担架用棚体が棚板を水平として安定して取り付けられる。さらに、支持脚の折り畳みがスムーズに行われて、非使用時に容易にコンパクトな形態とできる。【０００７】  さらに、折れ曲がりの状態を固定する固定部材を備える構成とすることで、棚板と支持脚が安定した折れ曲がり状態となる。【０００８】  さらに、担架の側枠への固定のための面ファスナー及び又は載置される医療用機器の固定のための面ファスナーを備える構成とされることで、担架への固定が容易に安定して行えるとともに、医療用機器の棚板上への設置が容易に安定して行える。【０００９】  医療用機器としては、吸引器等の緊急医療処置に必要な機器が棚板上に載置使用される。
【考案の効果】
【００１０】  この考案によれば、幅の異なる担架の側枠上に支障なく使用できる担架用棚体が得られる。
【図面の簡単な説明】
【００１１】
【図１】  この考案の担架用棚体の実施形態の外観斜視図
【図２】  この考案の担架用棚体の実施形態の使用状態図
【図３】  この考案の担架用棚体の実施形態の使用説明図
【図４】  この考案の担架用棚体の実施形態の使用説明図
【図５】  この考案の担架用棚体の実施形態の使用説明図
【図６】  この考案の担架用棚体の実施形態の使用説明図
【考案の好ましい実施形態】
【００１２】  図１はこの考案の担架用棚体の外観斜視図である。担架用棚体１において、３はステンレス製で長方形の棚板３であり、棚板３は両側縁が金属製パイプよりなる側枠５それぞれの上に固定されて取り付けられている。両方の側枠５の棚板３の端部より突出する部分それぞれには、補助レバー７それぞれを介して支持脚９の上部が連結されている。側枠５と支持脚９の端部には溝状の軸受け部１１、１２がそれぞれ設けられ、それら軸受け部１１、１２に補助レバー７の両端がピン１４、１６に軸支されて回動可能に取り付けられ、このようにして支持脚９のそれぞれは棚板３に折れ曲がり可能に取り付けられている。支持脚９のそれぞれは下端に担架の側枠へ篏合装着される湾曲装着部１３を備えている。１５のそれぞれは固定バー（固定部材）であり、図３以降に示すように、固定用長穴１７と固定用切り欠き１８とを備え、それら固定用長穴１７と固定用切り欠き１８に固定ネジ１９のネジ部１９ａが挿し入れられその端部が側枠５と支持脚９の端部近傍に位置するネジ穴に螺入固定されることで、側枠５と支持脚９が固定状態となる。固定バー１５による固定は担架用棚体１の一方側面において行われる。２１のそれぞれは担架用棚体１を担架へ固定するための面ファスナーであり、２３は棚板３上に載置される吸引機（医療用機器）を固定するため、また、非使用時に折り畳み状態を固定するための面ファスナーである。
【００１３】  図２は担架用棚体１の使用状態を示す。１００は担架であり、担架用棚体１は担架１００のパイプ状の側枠１０１に４本の支持脚９の湾曲装着部１３それぞれが篏合載置され、固定バー１５それぞれにより側枠５と支持脚９が一方側面において固定状態とされ、その状態において面ファスナー２１が側枠１０１に巻き付け固定されることで担架１００上に取り付けられている。１１０は吸引機であり、棚板３上に載置され、面ファスナー２３により固定されている。
【００１４】  図３から図６は側枠５と支持脚９の連接状態を示す説明図であり、これら図において固定ネジ１９の頭部は省略している。図３に示す状態においては、補助レバー７は側枠５の端部に垂直状態に連接され、その補助レバー７の下端部に垂直方向に支持脚９の上部が連接されている。これにより支持脚９の下端間の距離Ｗ１が短くされている。上記の図１、図２に対応する図４に示す状態においては、補助レバー７は側枠５の端部に水平に連接され、その補助レバー７の端部に垂直方向に支持脚９の上部が連接されている。これにより支持脚９の下端間の距離Ｗ２が長くされている。図５に示す状態においては、補助レバー７は側枠５の端部に傾斜状態に連接され、その補助レバー７の端部に垂直方向に支持脚９の上部が連接されている。これにより支持脚９の下端間の距離Ｗ３は上記距離Ｗ１とＷ２の中間の長さとされている。このように支持脚９の下端間の距離が可変とされることで、幅の異なる担架の側枠上に支障なく取り付けられる。とくに、補助レバー７を使用していることで支持脚９をより垂直に近い状態とでき、これにより担架用棚体１が棚板３を水平とする安定した状態に取り付けることができる。
【００１５】  図６は担架用棚体１の非使用時を示し、支持脚９のそれぞれが棚板３の下面側に折り畳まれ、この状態において面ファスナー２３により支持脚９が一体に固定でき、全体がコンパクトに折り畳まれた状態とされる。支持脚９の棚板３の下面側への折り畳みは、補助レバー７があることで容易に行われる。
【符号の説明】
【００１６】１      担架用棚体
３      棚板
５      側枠
７      補助レバー
９      支持脚
１５    固定バー（固定部材）
１００  担架
１１０  吸引機（医療用機器）
【図１】
0003218965.tif 000003
【図２】
0003218965.tif 000004
【図３】
0003218965.tif 000005
【図４】
0003218965.tif 000006
【図５】
0003218965.tif 000007
【図６】
0003218965.tif 000008
【手続補正書】
【提出日】平成30年8月29日(2018.8.29)
【手続補正１】
【補正対象書類名】実用新案登録請求の範囲
【補正対象項目名】全文
【補正方法】変更
【補正の内容】
【実用新案登録請求の範囲】
【請求項１】
医療用機器を載置する棚板と、前記棚板側から下方に延設されて下端が担架の側枠上に載置されて使用される支持脚とを備える担架用棚体であり、前記支持脚それぞれの上部と前記棚板とが、前記支持脚と前記棚板それぞれに両端が回動可能に取り付けられる補助レバーによって互いに連結され、前記支持脚が前記棚板に折れ曲がり可能に取り付けられてなることを特徴とする担架用棚体。
【請求項２】
一端側が前記棚板側に、他端側が前記支持脚側に固定可能な固定バーを備え、前記折れ曲がりの状態が固定される請求項１の記載の担架用棚体。
【請求項３】
前記担架の側枠への固定のための面ファスナー及び又は前記載置される医療用機器の固定のための面ファスナーを備える請求項１記載の担架用棚体。
【請求項４】
前記医療用機器が吸引器である請求項１記載の担架用棚体。